(57)【要約】【課題】カレントトランスを用いることなく簡単な構成で入力電流を検出でき、小型化と低コスト化が実現できる空気調和機を提供する。【解決手段】交流電圧を直流電圧に変換するコンバータ１と、コンバータ１により変換された直流電圧を交流電圧に変換するインバータ２と、コンバータ１から出力される直流電圧を検出する電圧センサとしての抵抗Ｒ１，Ｒ２と、インバータ２に入力される入力電流を検出する電流センサとしての抵抗Ｒ３と平滑化回路６を備える。上記抵抗Ｒ１，Ｒ２により検出された直流電圧および抵抗Ｒ３，　平滑化回路６により検出された入力電流に基づいて、消費電力算出部５ａによりインバータ２の消費電力を求める。そして、消費電力算出部５ａにより求められたインバータ２の消費電力およびコンバータ１の特性に基づいて、入力電流算出部５ｂによりコンバータ１に入力される入力電流を求める。【選択図】　図１
2004116920.tif 000002
【特許請求の範囲】
【請求項１】
交流電圧を直流電圧に変換するコンバータ（１）と、
上記コンバータ（１）により変換された直流電圧を交流電圧に変換するインバータ（２）と、
上記コンバータ（１）から出力される直流電圧を検出する電圧センサ（Ｒ１，Ｒ２）と、
上記コンバータ（１）から上記インバータ（２）に入力される入力電流を検出する電流センサ（Ｒ３，６）と、
上記電圧センサ（Ｒ１，Ｒ２）により検出された直流電圧および上記電流センサ（Ｒ３）により検出された入力電流に基づいて、上記インバータ（２）の消費電力を求める消費電力算出部（５ａ）と、
上記消費電力算出部（５ａ）により求められた上記インバータ（２）の消費電力および上記コンバータ（１）の特性に基づいて、上記コンバータ（１）に入力される入力電流を求める入力電流算出部（５ｂ）とを備えたことを特徴とする空気調和機。
【請求項２】
請求項１に記載の空気調和機において、
上記コンバータ（１）に接続される負荷の動作状況を管理する運転管理部（５ｃ）を備え、
上記入力電流算出部（５ｂ）は、上記消費電力算出部（５ａ）により求められた上記インバータ（２）の消費電力および上記運転管理部（５ｃ）の情報に基づいて、上記コンバータ（１）に接続される負荷の消費電力の合計を算出し、算出された消費電力の合計および上記コンバータ（１）の特性に基づいて、上記コンバータ（１）に入力される入力電流を求めることを特徴とする空気調和機。
【請求項３】
請求項２に記載の空気調和機において、
上記コンバータ（１）に接続される負荷は、上記インバータ（２）と、室外ファン（３）とヒータと加湿ファンおよび吸湿ファンのうちの少なくとも上記室外ファン（３）であることを特徴とする空気調和機。
【請求項４】
請求項１に記載の空気調和機において、
上記入力電流算出部（５ｂ）は、少なくとも室外ファン（３）の消費電力を上記消費電力算出部（５ａ）により求められた上記インバータ（２）の消費電力に加算して、加算された消費電力および上記コンバータ（１）の特性に基づいて、上記コンバータ（１）に入力される入力電流を求めることを特徴とする空気調和機。
【請求項５】
請求項１に記載の空気調和機において、
上記入力電流算出部（５ｂ）は、加湿ファン（４）または吸湿ファンの少なくとも一方の消費電力を、上記消費電力算出部（５ａ）により求められた上記インバータ（２）の消費電力に加算して、加算された消費電力および上記コンバータ（１）の特性に基づいて、上記コンバータ（１）に入力される入力電流を求めることを特徴とする空気調和機。
【発明の詳細な説明】
【０００１】
【発明の属する技術分野】
この発明は、空気調和機に関する。
【０００２】
【従来の技術】
従来、空気調和機としては、交流電源からの交流を整流するコンバータと、そのコンバータからの直流電圧を平滑するコンデンサと、上記コンデンサにより平滑にされた直流電圧を交流電圧に変換するインバータと、上記インバータを制御するマイクロコンピュータとを備えたものがある（例えば、特許文献１参照）。この空気調和機は、カレントトランスによりコンバータの入力電流を検出し、検出された入力電流に基づいてマイクロコンピュータによりインバータを制御する。
【０００３】
また、このような空気調和機の構成に加湿ユニットを備えたものがある。この加湿ユニットを備えた空気調和機は、図４に示すように、室内機１２０と室外機１３０とで構成されている。そして、上記室外機１３０は、室内機１２０を介して交流電源１１０から供給された交流電圧を直流電圧に変換するコンバータ１０１と、上記コンバータ１０１からの直流電圧を所定の周波数の交流電圧に変換して圧縮機（図示せず）を駆動するインバータ１０２と、室外ファン１０３と、マイクロコンピュータ（以下、マイコンという）１０５と、図示しない加湿ユニット用の加湿ファン１０４，ヒータ１０７および吸湿ファン１０８を備えている。
【０００４】
また、上記コンバータ１０１の正極側出力端子と負極側出力端子との間に平滑用のコンデンサＣを接続し、そのコンデンサＣの両端に直列接続された抵抗Ｒ１，Ｒ２を接続している。この抵抗Ｒ１，Ｒ２でコンバータ１から出力される直流電圧を分圧し、分圧された直流電圧信号をマイコン１０５で検出して、検出された直流電圧信号に基づいてインバータ１０２の出力制御を行っている。また、上記コンバータ１０１の負極側出力端子とインバータ１０２の負極側入力端子との間に過電流検出用の抵抗Ｒ３を接続している。この過電流検出用の抵抗Ｒ３により検出されたインバータ１０２の入力電流が所定値以上になると、インバータ１０２を保護するために保護回路（図示せず）が動作してインバータ１０２の出力を停止する。また、コンバータ１０１の負極側入力端子側にカレントトランスＣＴを配置し、カレントトランスＣＴからの信号を整流回路１１１，平均化回路１１２を介してマイコン１０５に入力している。上記カレントトランスＣＴ，整流回路１１１および平均化回路１１２によりコンバータ１０１に入力される入力電流Ｉｉｎを検出して、検出された入力電流Ｉｉｎに基づいてマイコン１０５は、ブレーカーの定格内で最大能力を発揮するようにインバータ２の出力を制御する。また、カレントトランスＣＴにより検出された入力電流Ｉｉｎが、圧縮機の回転数のわりに少ないときは冷媒漏れであると判断して、ガス欠異常を検知する。
【０００５】
【特許文献１】
特開平６−２８１２３６号公報
【０００６】
【発明が解決しようとする課題】
ところが、上記空気調和機では、カレントトランスＣＴは、商用交流電源（ＡＣ１００Ｖ，ＡＣ２００Ｖ）に直接接続されるため、安全を考慮して絶縁距離をとって装置内に配置しなければならず、また、その出力は負電圧を含む交流であるため、マイコン１０５に入力される前段に整流回路１１１，平均化回路１１２からなる入力電流検出回路が必要となり、装置内に大きな設置スペースを要するという問題がある。上記入力電流検出回路は、モジュール化することで小型化は実現できるが、コスト高になる恐れがある。また、商用交流周波数程度の低い周波数ではカレントトランスを小型化することは難しく、コストの面においても安全性への対応や大型のトランスはコスト高となっている。上記空気調和機のように付加機能として消費電力の大きな加湿ユニットを備えているものでは、電力の取り合いとなっているため、定格内で最大能力を発揮するようにインバータの出力を制御するためには入力電流の検出精度を下げることはできない。
【０００７】
そこで、この発明の目的は、商用電源ラインにカレントトランスを実装することなく簡単な構成で入力電流を従来と同程度の精度で検出でき、小型化と低コスト化が実現できる空気調和機を提供することにある。
【０００８】
【課題を解決するための手段】
上記目的を達成するため、請求項１の空気調和機は、交流電圧を直流電圧に変換するコンバータと、上記コンバータにより変換された直流電圧を交流電圧に変換するインバータと、上記コンバータから出力される直流電圧を検出する電圧センサと、上記コンバータから上記インバータに入力される入力電流を検出する電流センサと、上記電圧センサにより検出された直流電圧および上記電流センサにより検出された入力電流に基づいて、上記インバータの消費電力を求める消費電力算出部と、上記消費電力算出部により求められた上記インバータの消費電力および上記コンバータの特性に基づいて、上記コンバータに入力される入力電流を求める入力電流算出部とを備えたことを特徴としている。
【０００９】
上記請求項１の空気調和機によれば、上記コンバータから出力される直流電圧を上記電圧センサにより検出し、コンバータからインバータに入力される入力電流を上記電流センサにより検出して、検出された直流電圧と入力電流に基づいて、上記消費電力算出部によりインバータの消費電力を求める。そして、上記消費電力算出部により求められた上記インバータの消費電力および上記コンバータの特性に基づいて、上記入力電流算出部によりコンバータに入力される入力電流を求める。すなわち、上記コンバータの効率特性および力率特性を予め測定しておき、その回路構成の特性を定式化することでコンバータの出力電力（インバータの消費電力）からコンバータの入力電力を求めることが可能であり、そのコンバータの入力電力と入力電圧からコンバータの入力電流を求めることができる。なお、コンバータの入力電圧は、コンバータの出力電圧（電圧センサにより検出される直流電圧）から求めることができ、例えば、コンバータの無負荷状態での入力−出力電圧特性は一義的に決まるので、その関係に基づいて出力電圧から入力電圧を求める。このように、カレントトランスを用いることなく簡単な構成で入力電流を検出でき、小型化と低コスト化が実現できる。
【００１０】
また、請求項２の空気調和機は、請求項１の空気調和機において、上記コンバータに接続される負荷の動作状況を管理する運転管理部を備え、上記入力電流算出部は、上記消費電力算出部により求められた上記インバータの消費電力および上記運転管理部の情報に基づいて、上記コンバータに接続される負荷の消費電力の合計を算出し、算出された消費電力の合計および上記コンバータの特性に基づいて、上記コンバータに入力される入力電流を求めることを特徴としている。
【００１１】
上記請求項２の空気調和機によれば、上記コンバータに接続される負荷の動作状況を管理する運転管理部に保存されている上記負荷の運転情報に基づいて、それぞれの負荷の運転情報に応じた消費電力を予め定めた値より算出することができ、実際にファンやヒータなどの消費電力を計測しなくてもよい。
【００１２】
また、請求項３の空気調和機は、請求項２の空気調和機において、上記コンバータに接続される負荷は、上記インバータと、室外ファンとヒータと加湿ファンおよび吸湿ファンのうちの少なくとも上記室外ファンであることを特徴としている。
【００１３】
上記請求項３の空気調和機によれば、上記コンバータに接続される負荷は、インバータと、室外ファンとヒータと加湿ファンおよび吸湿ファンのうちの少なくとも室外ファンであるので、コンバータに入力される入力電流を上記消費電力算出部により正確に求めることができる。
【００１４】
また、請求項４の空気調和機は、請求項１の空気調和機において、上記入力電流算出部は、少なくとも室外ファンの消費電力を上記消費電力算出部により求められた上記インバータの消費電力に加算して、加算された消費電力および上記コンバータの特性に基づいて、上記コンバータに入力される入力電流を求めることを特徴としている。
【００１５】
上記請求項４の空気調和機によれば、上記コンバータの負荷となるインバータの消費電力と少なくとも室外ファンの消費電力の合計をコンバータの出力電力とすることによって、コンバータに入力される入力電流をより正確に求めることができる。なお、室外ファン以外にコンバータの負荷となるものがある場合は、その消費電力も加算するのが望ましい。
【００１６】
また、請求項５の空気調和機は、請求項１の空気調和機において、上記入力電流算出部は、加湿ファンまたは吸湿ファンの少なくとも一方の消費電力を、上記消費電力算出部により求められた上記インバータの消費電力に加算して、加算された消費電力および上記コンバータの特性に基づいて、上記コンバータに入力される入力電流を求めることを特徴としている。
【００１７】
上記請求項５の空気調和機によれば、上記コンバータの負荷となる上記加湿ファンまたは上記吸湿ファンの少なくとも一方の消費電力とインバータの消費電力の合計をコンバータの出力電力とすることによって、コンバータに入力される入力電流をより正確に求めることができる。なお、上記加湿ファンや吸湿ファン以外にコンバータの負荷となるものがある場合、例えば室外ファンなどの消費電力も加算するのが望ましい。
【００１８】
【発明の実施の形態】
以下、この発明の空気調和機を図示の実施の形態により詳細に説明する。
【００１９】
図１はこの発明の実施の一形態の空気調和機の概略構成を示すブロック図であり、この空気調和機は、交流電源１０から交流電圧が供給される室内機２０と、上記室内機２０を介して交流電源１０から交流電圧が供給される室外機３０とを備えている。上記室外機３０は、交流電源１０から供給される交流電圧を直流電圧に変換するコンバータ１と、上記コンバータ１からの直流電圧を交流電圧に変換して圧縮機（図示せず）を駆動するインバータ２と、ＤＣ（直流）ファンである室外ファン３と、ＤＣファンである加湿ファン４と、インバータ２等を制御するマイコン５と、ローパスフィルタを用いた平滑化回路６と、ヒータ７と、ＡＣ（交流）ファンである吸湿ファン８とを備えている。この室外機３０には、図示しないが、加湿ファン４，ヒータ７および吸着ファン８を用いた加湿ユニットを備えている。
【００２０】
また、上記室外機３０のコンバータ１の正極側出力端子と負極側出力端子との間に平滑用のコンデンサＣを接続し、さらにそのコンデンサＣの両端に、電圧センサの一例としての直列接続された抵抗Ｒ１，Ｒ２を接続している。また、上記コンバータ１の負極側出力端子を接地に接続している。上記抵抗Ｒ１，Ｒ２によりインバータ２に入力される直流電圧を分圧し、分圧された直流電圧を表す信号をマイコン５のＡ／Ｄ変換機能によりデジタル値に変換する。
【００２１】
また、上記室外機３０のコンバータ１の負極側出力端子とインバータ２の負極側入力端子との間に抵抗Ｒ３を接続している。この抵抗Ｒ３によりインバータ２の入力電流を検出し、検出された入力電流を表す信号を平均化回路６に平均化した後、マイコン５のＡ／Ｄ変換機能によりデジタル値に変換する。上記抵抗Ｒ３と平均化回路６で電流センサの一例を構成している。
【００２２】
また、上記マイコン５は、インバータ２の消費電力を求める消費電力算出部５ａと、消費電力算出部５ａにより求められたインバータ２の消費電力およびコンバータ１の特性に基づいて、コンバータ１に入力される入力電流を求める入力電流算出部５ｂと、コンバータ１に接続される負荷（インバータ２，室外ファン３，加湿ファン４）の動作状況を管理する運転管理部５ｃとを有している。上記運転管理部５ｃは、ヒータ７等のオンオフ情報およびファン風量の強弱の情報などを持っている。
【００２３】
ここで、上記室外機３０のコンバータ１の入力電圧をＶｉｎとし、入力電流をＩｉｎとし、入力電力をＷｉｎとする。また、コンバータ１の効率をηとし、力率をＰＦとする。そして、インバータ２の入力電力をＷ１、室外ファン３の消費電力をＷ２、加湿ファン４の消費電力をＷ３とすると、コンバータ１の出力電力Ｗｏｕｔは、
Ｗｏｕｔ　＝　Ｗ１＋Ｗ２＋Ｗ３
で表される。なお、上記コンバータ１の出力電力Ｗｏｕｔを入力電力Ｗｉｎと効率ηで表すと、
Ｗｏｕｔ＝Ｗｉｎ×η
となり、したがって、入力電力Ｗｉｎは、
Ｗｉｎ　＝　Ｗｏｕｔ／η　………　（式１）
で表される。また、入力電力Ｗｉｎを入力電圧Ｖｉｎと入力電流Ｉｉｎおよび力率ＰＦで表すと、
Ｗｉｎ　＝　Ｖｉｎ×Ｉｉｎ×ＰＦ　………　（式２）
となり、この（式２）より入力電流Ｉｉｎは、
Ｉｉｎ　＝　Ｗｉｎ／（Ｖｉｎ×ＰＦ）　………　（式３）
で表される。
【００２４】
なお、上記室外ファン３が複数段の風量タップを切り替えるものである場合、各風量タップに応じた消費電力をＷ２とする（加湿ファン４の消費電力Ｗ３も同様）。このような運転状況に応じて変化する各負荷の消費電力は、運転管理部５ｃの運転情報から得られるようにしている。
【００２５】
図２は上記空気調和機のマイコン５の動作を示すフローチャートであり、以下、図２にしたがってマイコン５の処理を説明する。
【００２６】
まず、処理がスタートすると、ステップＳ１で無負荷状態のコンバータ１の出力電圧Ｖｄｃからコンバータ１の入力電圧Ｖｉｎを算出する。
【００２７】
次に、ステップＳ２に進み、運転状態においてコンバータ１の出力電圧Ｖｄｃとインバータ２の入力電流Ｉｄｃを求める。すなわち、マイコン５のＡ／Ｄ変換機能により、抵抗Ｒ１，Ｒ２により分圧された直流電圧を表す信号をデジタル値に変換すると共に、抵抗Ｒ３と平均化回路６により検出された入力電流を表す信号をデジタル値に変換する。
【００２８】
次に、ステップＳ３に進み、消費電力算出部５ａによって、コンバータ１の出力電圧Ｖｄｃとインバータ２の入力電流Ｉｄｃの積を求めることにより、インバータ２の消費電力Ｗ１を算出する。
【００２９】
次に、ステップＳ４に進み、インバータ２の消費電力Ｗ１と室外ファン３の消費電力Ｗ２と加湿ファン４の消費電力Ｗ３とを加算してコンバータ１の出力電力Ｗｏｕｔを求める。
【００３０】
次に、ステップＳ５に進み、コンバータ１の効率特性からコンバータ１の入力電力Ｗｉｎを算出する。すなわち、上記コンバータ１の出力電力Ｗｏｕｔとそのときの効率ηから（式１）を用いてコンバータ１の入力電力Ｗｉｎを算出するのである。
【００３１】
そして、ステップＳ６に進み、コンバータ１の力率特性からコンバータ１の入力電流Ｉｉｎを算出する。すなわち、ステップＳ１で算出されたコンバータ１の入力電圧Ｖｉｎと入力電力Ｗｉｎにおける力率ＰＦから上記（式３）を用いてコンバータ１の入力電流Ｉｉｎを算出するのである。上記ステップＳ４〜Ｓ６の処理は、入力電流算出部５ｂにより行われる。
【００３２】
図３は上記コンバータ１の入力電力［Ｗ］に対する効率特性および力率特性を示しており、横軸は入力電力［Ｗ］の目盛りを示し、縦軸は効率６０％〜１００％（力率０．６〜１．０に対応）の目盛りを示している。図３に示す例では、コンバータ１の効率特性は、１次関数で近似でき、コンバータ１の力率特性は、多項式の関数で近似できる。なお、この図３の効率特性および力率特性は、一例として能力５ｋＷタイプの空気調和機について測定した結果を示すものであって、この特性に限定されるものではなく、空気調和機の能力や構成などによって適宜設定してもよい。
【００３３】
図３に示すコンバータ１の効率特性および力率特性を予め測定しておき、上記（式１）で用いる出力電力Ｗｏｕｔと効率ηの関係をテーブルまたは近似式として求め、上記（式３）で用いる入力電力Ｗｉｎと力率ＰＦの関係をテーブルまたは近似式として求めておく。さらに、コンバータ１の無負荷状態での出力電圧Ｖｄｃと入力電圧Ｖｉｎの関係を予め測定しておき、その関係をテーブルまたは近似式として求めておく。
【００３４】
このように、上記構成の空気調和機によれば、コンバータ１の効率特性および力率特性を予め測定しておき、その特性を利用してコンバータ１の出力電力（インバータ２の消費電力）からコンバータ１の入力電力Ｗｉｎを求めることができ、そのコンバータ１の入力電力Ｗｉｎと入力電圧Ｖｉｎからコンバータ１の入力電流Ｉｉｎを求めることができる。したがって、装置内の設置スペースが大きくかつコストが高いカレントトランスを用いることなく、簡単な構成でコンバータ１の入力電流Ｉｉｎを求めることができ、小型化と低コスト化が実現できる。
【００３５】
また、上記コンバータ１に接続される負荷（インバータ２，室外ファン３，加湿ファン４）の動作状況を管理する運転管理部５ｃに保存されている運転情報に基づいて、室外ファン３，加湿ファン４の運転情報に応じた消費電力を予め定めた値より算出することができ、実際に室外ファン３，加湿ファン４の消費電力を計測しなくてもよい。
【００３６】
また、上記コンバータ１の負荷となるインバータ２と少なくとも室外ファン３の消費電力をコンバータ１の出力電力とすることによって、コンバータ１に入力される入力電流Ｉｉｎをより正確に求めることができる。さらに、上記コンバータ１の負荷となる加湿ファン４をコンバータの出力電力も加算することにより、コンバータ１に入力される入力電流Ｉｉｎをより正確に求めることができる。なお、上記マイコン５の消費電力は、インバータ２，室外ファン３および加湿ファン４の消費電力に比べて極めて少ないので、省略しても問題とならない。また、上記吸湿ファン８にＤＣファンを用いてコンバータ１の負荷とした場合は、吸湿ファンの消費電力もコンバータの出力電力も加算するのがより好ましい。
【００３７】
上記実施の形態では、吸着ファン８にＡＣ（交流）ファンを用いたが、吸着ファンにＤＣ（直流）ファンを用いて、入力電流算出部５ｂは、加湿ファンと吸湿ファンの両方を、消費電力算出部５ａにより求められたインバータの消費電力に加算して、加算された消費電力およびコンバータ１の特性に基づいて、コンバータに入力される入力電流を求めてもよい。
【００３８】
また、上記実施の形態では、電圧センサの一例として直列接続された抵抗Ｒ１，Ｒ２を用い、電流センサの一例として抵抗Ｒ３とローパスフィルタを用いた平均化回路６を用いたが、電圧センサおよび電流センサの構成はこれに限らない。しかしながら、小型化と低コスト化を実現するためには抵抗とローパスフィルタを電圧センサおよび電流センサに用いるのが好ましい。
【００３９】
また、上記実施の形態では、室内機２０と、その室内機２０を介して交流電源１０から供給される室外機３０とを備えた空気調和機について説明したが、空気調和機の構成はこれに限らず、室外側から室内機に交流電源が供給される形態のものにこの発明を適用してもよい。
【００４０】
【発明の効果】
以上より明らかなように、請求項１の発明の空気調和機は、コンバータから出力される直流電圧を電圧センサにより検出し、コンバータからインバータに入力される入力電流を電流センサにより検出して、検出された直流電圧と入力電流に基づいて、消費電力算出部によりインバータの消費電力を求めて、その消費電力算出部により求められたインバータの消費電力およびコンバータの特性に基づいて、入力電流算出部によりコンバータに入力される入力電流を求めるものである。
【００４１】
したがって、請求項１の発明の空気調和機によれば、商用電源ラインにカレントトランスを実装することなく簡単な構成で入力電流を検出でき、小型化と低コスト化が実現することができる。
【００４２】
また、請求項２の発明の空気調和機によれば、請求項１の空気調和機において、上記消費電力算出部により求められたインバータの消費電力および上記コンバータに接続される負荷の動作状況を管理する運転管理部の情報に基づいて、上記入力電流算出部は、コンバータに接続される負荷の消費電力の合計を算出し、算出された消費電力の合計およびコンバータの特性に基づいて、コンバータに入力される入力電流を求めるので、実際にファンやヒータなどの消費電力を計測しないくても、上記運転管理部が持っている運転情報（例えば室外ファンの風量の情報）に応じた消費電力を予め定めた値より算出することができる。
【００４３】
また、請求項３の発明の空気調和機によれば、請求項２の空気調和機において、上記コンバータに接続される負荷は、上記インバータと、室外ファンとヒータと加湿ファンおよび吸湿ファンのうちの少なくとも室外ファンであるので、コンバータに入力される入力電流を上記入力電流算出部により正確に求めることができる。
【００４４】
また、請求項４の発明の空気調和機によれば、請求項１の空気調和機において、上記入力電流算出部は、上記コンバータの負荷となるインバータの消費電力と少なくとも室外ファンの消費電力の合計をコンバータの出力電力とすることによって、コンバータに入力される入力電流をより正確に求めることができる。
【００４５】
また、請求項５の発明の空気調和機によれば、請求項１の空気調和機において、上記入力電流算出部は、上記コンバータの負荷となる加湿ファンまたは吸湿ファンの少なくとも一方の消費電力とインバータの消費電力の合計をコンバータの出力電力とすることによって、コンバータに入力される入力電流をより正確に求めることができる。
【図面の簡単な説明】
【図１】図１はこの発明の実施の一形態の空気調和機の概略構成を示すブロック図である。
【図２】図２は上記空気調和機のマイコンの動作を説明するフローチャートである。
【図３】図３は上記空気調和機のコンバータの効率特性および力率特性を示す図である。
【図４】図４は従来の空気調和機の概略構成を示すブロック図である。
【符号の説明】
１…コンバータ、
２…インバータ、
３…室外ファン、
４…加湿ファン、
５…マイコン、
５ａ…消費電力算出部、
５ｂ…入力電流算出部、
５ｃ…運転管理部、
６…平均化回路、
７…ヒータ、
８…吸湿ファン、
１０…交流電源、
２０…室内機、
３０…室外機、
Ｃ…コンデンサ、
Ｒ１，Ｒ２，Ｒ３…抵抗。
【図１】
2004116920.tif 000003
【図２】
2004116920.tif 000004
【図３】
2004116920.tif 000005
【図４】
2004116920.tif 000006